(57)【要約】【課題】カードの表裏両面にプリンタを用いて印字でき、しかも印字後のカード両面をラミネートすることができるラミネートカード作成用台紙を提供する。【解決手段】ラミネートカード作成用台紙１を、表面側に印字可能なカード基材５と、カード基材５の裏面側に接着された第１粘着層６と、第１粘着層６裏面のカード作成用台紙部２側に剥離可能に配された第１剥離紙７と、第１粘着層６裏面のラミネート用台紙部３側に接着された第２剥離紙８と、前記両剥離紙７，８の裏面側に配されて第１剥離紙７にのみ接着される第２粘着層９と、第２粘着層９の裏面に接着されたラミネートフィルム１０と、ラミネートフィルム１０の裏面側に擬似接着層１１を介し剥離可能に擬似接着された剥離台紙１２とで構成する。カード作成用台紙部２に、カード部１３，１４作成用の第１切込み１５を設ける。ラミネート用台紙部３に、ラミネートフィルム作成用の第２切込み１６を設ける。【選択図】        図２
2005014267.tif 000002
【特許請求の範囲】
【請求項１】
表面側にそれぞれ印字可能な表カード部および裏カード部を切抜き形成するためのカード作成用台紙部と、表カード部および裏カード部の印字面をラミネートするためのラミネート用台紙部とを、折線を介し折曲げ可能に連結して形成されるラミネートカード作成用台紙であって、前記カード作成用台紙部は、少なくとも表面側に印字可能なカード基材と、カード基材の裏面側に配された第１粘着層と、第１粘着層の裏面側を剥離可能に被覆する第１剥離紙とを備えているとともに、前記ラミネート用台紙部は、少なくとも第２剥離紙と、第２剥離紙で表面側が剥離可能に被覆された第２粘着層と、第２粘着層の裏面側に接着されたラミネートフィルムと、ラミネートフィルムの裏面側に擬似接着層を介し剥離可能に擬似接着された剥離台紙とを備え、前記カード作成用台紙部には、表面側から少なくとも第１剥離紙直前位置まで、前記両カード部切抜き用の第１切込みが切込まれているとともに、前記ラミネート用台紙部には、前記第１切込みに符合する位置に、表面側から少なくとも擬似接着層直前位置まで、ラミネートフィルム切抜き用の第２切込みが切込まれていることを特徴とするラミネートカード作成用台紙。
【請求項２】
カード作成用台紙部およびラミネート用台紙部は、カード基材と、カード基材の裏面側に配された第１粘着層と、第１粘着層裏面のカード作成用台紙部に対応する部位に配された第１剥離紙と、第１粘着層裏面のラミネート用台紙部に対応する部位に接着された第２剥離紙と、前記両剥離紙の裏面側に配されて第１剥離紙に接着される第２粘着層と、第２粘着層の裏面側に配されたラミネートフィルムと、ラミネートフィルムの裏面側に擬似接着層を介し配された剥離台紙とを備えていることを特徴とする請求項１記載のラミネートカード作成用台紙。
【請求項３】
両カード部は、折曲げ線を介し外周の一部が連結された状態で切出され、第２切込みは、両カード部外縁の形状寸法とほぼ同一の形状寸法で切込まれていることを特徴とする請求項１または２記載のラミネートカード作成用台紙。
【請求項４】
両カード部は、離間した状態で切出され、第２切込みは、両カード部間の離間部を含めた状態で、両カード部よりも一廻り大きな形状寸法で切込まれていることを特徴とする請求項１または２記載のラミネートカード作成用台紙。
【請求項５】
両カード部は、離間した状態で切出され、第２切込みは、各カード部に符合する部位に離間した状態で切込まれていることを特徴とする請求項１または２記載のラミネートカード作成用台紙。
【請求項６】
ラミネート用台紙部は、両第２切込み間の離間部中央に、二つ折りにより両第２切込みを符合させるための符合用折曲げ線を有していることを特徴とする請求項５記載のラミネートカード作成用台紙。
【請求項７】
両カード部は、折曲げ線を介し外周の一部が連結された状態で切出され、第２切込みは、少なくとも一方のカード部に符合する部分が、当該カード部よりも小さな形状寸法で切込まれていることを特徴とする請求項１または２記載のラミネートカード作成用台紙。
【請求項８】
ラミネート用台紙部は、裏面側から少なくとも第２剥離紙直前位置まで切込まれ少なくとも一方のカード部にラミネートされない部分を残すための第３切込みを有していることを特徴とする請求項１，２，３，４，５または６記載のラミネートカード作成用台紙。
【請求項９】
ラミネート用台紙部は、表面側から少なくとも擬似接着層直前置まで切込まれ少なくとも一方のカード部にラミネートされない部分を残すための第３切込みを有していることを特徴とする請求項１，２，３，４，５または６記載のラミネートカード作成用台紙。
【発明の詳細な説明】
【０００１】
【発明の属する技術分野】
本発明は、ラミネートカードを作成するためのラミネートカード作成用台紙に係り、特にカードの表裏両面にプリンタを用いて可変情報等を印字した後に、カードの表裏両面をラミネートすることができるラミネートカード作成用台紙に関する。
【０００２】
【従来の技術】
従来から、カードの表面にプリンタを用いて可変情報を印字した後、その表面をラミネートフィルムを用いてラミネートしたカードは一般に知られている。この種の両面ラミネートカードは、カード本体の裏面側は、事前に印刷機により固定情報を印刷するとともに、ラミネートフィルムで被覆した状態にしておき、カード本体の表面側のみ、可変情報を印字後にラミネートフィルムによりラミネートする構造になっているのが通例である。
【０００３】
【発明が解決しようとする課題】
前記従来の両面ラミネートカードは、カード本体の少なくとも裏面には、予め印刷機を用いて固定情報を印刷しておかなければならないため、カードの作成数量に拘らず、版代等の固定費用がかかることになり、特にカードを少量作成する場合には、カード１枚当りの作成費用が極めて高くなると云う問題がある。
【０００４】
また、印刷の場合には、プリンタを用いた印字の場合と異なり、その情報内容を簡単に変更することができないため、カード本体の表裏両面の情報内容を簡単に変更できる両面ラミネートカードを作成することができないと云う問題もある。
【０００５】
本発明は、かかる現況に鑑みなされたもので、少量作成の場合であっても、両面ラミネートカードの作成単価を大幅に低く抑えることができ、またカード本体の表裏両面の情報内容を自由に変更することができるラミネートカード作成用台紙を提供することを目的とする。
【０００６】
本発明の他の目的は、カード作成用台紙部側からプリンタに通しても、また逆にラミネート用台紙部側からプリンタに通しても、台紙がプリンタのドラム等に引掛かって印字不良が発生する等の不具合がないラミネートカード作成用台紙を提供するにある。
【０００７】
本発明の他の目的は、カード本体の表裏両面を、カード本体とほぼ同一形状寸法のラミネートフィルムで被覆することができるラミネートカード作成用台紙を提供するにある。
【０００８】
本発明の他の目的は、カード本体をカード本体よりも一廻り大きなラミネートフィルムで被覆することができるラミネートカード作成用台紙を提供するにある。
【０００９】
本発明の他の目的は、カード本体が方形状あるいはこれに近い形状の場合に限らず、カード本体が例えば円形の場合にも対応することができるラミネートカード作成用台紙を提供するにある。
【００１０】
本発明の他の目的は、カード本体が例えば円形等の場合であっても、素人が失敗することなく両面ラミネートカードを簡単に作成することができるラミネートカード作成用台紙を提供するにある。
【００１１】
本発明の他の目的は、カード本体の例えば裏面側の端縁に、ラミネートされない部分を残してカードを作成することができ、ラミネートされない部分を、例えばスタンプ押印欄として確保することができるラミネートカード作成用台紙を提供するにある。
【００１２】
本発明のさらに他の目的は、カード本体の中央部にラミネートされない部分を残してカードを作成することができ、損傷し易いカード本体の周縁部分は、両面ラミネートで補強しつつ、追記可能な部分を確保することができるラミネートカード作成用台紙を提供するにある。
【００１３】
【課題を解決するための手段】
前記目的を達成するため本発明は、表面側にそれぞれ印字可能な表カード部および裏カード部を切抜き形成するためのカード作成用台紙部と、表カード部および裏カード部の印字面をラミネートするためのラミネート用台紙部とを、折線を介し折曲げ可能に連結して形成されるラミネートカード作成用台紙であって、前記カード作成用台紙部に、少なくとも表面側に印字可能なカード基材と、カード基材の裏面側に配された第１粘着層と、第１粘着層の裏面側を剥離可能に被覆する第１剥離紙とを設けるとともに、前記ラミネート用台紙部に、少なくとも第２剥離紙と、第２剥離紙で表面側が剥離可能に被覆された第２粘着層と、第２粘着層の裏面側に接着されたラミネートフィルムと、ラミネートフィルムの裏面側に擬似接着層を介し剥離可能に擬似接着された剥離台紙とを設け、前記カード作成用台紙部には、表面側から少なくとも第１剥離紙直前位置まで、前記両カード部切抜き用の第１切込みを切込むとともに、前記ラミネート用台紙部には、前記第１切込みに符合する位置に、表面側から少なくとも擬似接着層直前位置まで、ラミネートフィルム切抜き用の第２切込みを切込むようにしたことを特徴とする。そしてこれにより、カード本体の表裏両面にプリンタを用いて印字することが可能となり、少量作成の場合であっても、両面ラミネートカードの作成単価を大幅に低く抑えることが可能となるとともに、カード本体の表裏両面の情報内容を自由に変更することが可能となる。
【００１４】
本発明はまた、カード作成用台紙部およびラミネート用台紙部を、カード基材と、カード基材の裏面側に配された第１粘着層と、第１粘着層裏面のカード作成用台紙部に対応する部位に配された第１剥離紙と、第１粘着層裏面のラミネート用台紙部に対応する部位に接着された第２剥離紙と、前記両剥離紙の裏面側に配されて第１剥離紙に接着される第２粘着層と、第２粘着層の裏面側に配されたラミネートフィルムと、ラミネートフィルムの裏面側に擬似接着層を介し配された剥離台紙とで構成するようにしたことを特徴とする。そしてこれにより、カード作成用台紙部側の台紙厚と、ラミネート用台紙部側の台紙厚とが完全に同一厚となるとともに、表裏いずれの面にも凸部がないラミネートカード作成用台紙が得られ、カード作成用台紙部側からプリンタに通しても、また逆にラミネート用台紙部側からプリンタに通しても、台紙がプリンタのドラム等に引掛かって印字不良が発生する等の不具合が全くない。
【００１５】
本発明はまた、両カード部を、折曲げ線を介し外周の一部が連結された状態で切出すとともに、第２切込みを、両カード部外縁の形状寸法とほぼ同一の形状寸法で切込むようにしたことを特徴とする。そしてこれにより、カード本体の表裏両面を、カード本体とほぼ同一形状のラミネートフィルムで被覆することが可能となる。
【００１６】
本発明はまた、両カード部を、離間した状態で切出すとともに、第２切込みを、両カード部間の離間部を含めた状態で、両カード部よりも一廻り大きな形状寸法で切込むようにしたことを特徴とする。そしてこれにより、カード本体を、カード本体よりも一廻り大きなラミネートフィルムで被覆することが可能となり、カード本体を例えば水中に落としてしまったような場合であっても、カード本体の周縁部からカード本体内に水が浸入するおそれが全くない。
【００１７】
本発明はまた、両カード部を、離間した状態で切出すとともに、第２切込みを、各カード部に符合する部位に離間した状態で切込むようにしたことを特徴とする。そしてこれにより、カード本体が例えば円形等、方形あるいはこれに近い形状でなくても、対応することが可能となる。
【００１８】
本発明はまた、ラミネート用台紙部に、両第２切込み間の離間部中央に、二つ折りにより両第２切込みを符合させるための符合用折曲げ線を設けるようにしたことを特徴とする。そしてこれにより、両カード部および第２切込みが、いずれも離間した状態で切込まれている場合であっても、素人が失敗することなく両面ラミネートカードを簡単に作成することが可能となる。
【００１９】
本発明はまた、両カード部を、折曲げ線を介し外周の一部が連結された状態で切出すとともに、第２切込みを、少なくとも一方のカード部に符合する部分を、当該カード部よりも小さな形状寸法で切込むようにしたことを特徴とする。そしてこれにより、カード本体の例えば裏面側の端縁に、ラミネートされない部分を残してカードを作成することが可能となり、ラミネートされない部分を、例えばスタンプ押印欄として確保することが可能となる。
【００２０】
本発明はまた、ラミネート用台紙部に、裏面側から少なくとも第２剥離紙直前位置まで切込まれ少なくとも一方のカード部にラミネートされない部分を残すための第３切込みを設けるようにしたことを特徴とする。そしてこれにより、カード本体の中央部に、ラミネートされない部分を残してカードを作成することが可能となり、損傷し易いカード本体の周縁部分は、両面ラミネートで補強しつつ、追記可能な部分を確保することが可能となる。
【００２１】
本発明はさらに、ラミネート用台紙部に、表面側から少なくとも擬似接着層直前置まで切込まれ少なくとも一方のカード部にラミネートされない部分を残すための第３切込みを設けるようにしたことを特徴とする。そしてこれにより、第１，第２および第３の各切込みが、すべて表面側からの切込みとなり、ラミネートカード作成用台紙の加工が容易となる。
【００２２】
【発明の実施の形態】
以下、本発明を図面を参照して説明する。
図１および図２は、本発明の第１の実施の形態に係るラミネートカード作成用台紙を示すもので、このラミネートカード作成用台紙１は、カード本体を作成するためのカード作成用台紙部２と、作成されたカード本体の表裏両面をラミネートするためのラミネート用台紙部３とで構成されており、これら両台紙部２，３は、中央部の折線４を介し折曲げ可能に連結されている。
【００２３】
前記両台紙部２，３は、図１および図２に示すように、プリンタを用いて表面側に印字可能なカード基材５と、カード基材５の裏面側に配された第１粘着層６と、第１粘着層６裏面のカード作成用台紙部２に対応する部位に配された第１剥離紙７と、第１粘着層６裏面のラミネート用台紙部３に対応する部位に配された第２剥離紙８と、これら両剥離紙７，８の裏面側に配された第２粘着層９と、第２粘着層９の裏面側に配されたラミネートフィルム１０と、ラミネートフィルム１０の裏面側に擬似接着層１１を介し剥離可能に擬似接着された剥離台紙１２とで構成されており、これにより、両台紙部２，３が完全に同一厚で、しかも表裏いずれの面にも凸部がないラミネートカード作成用台紙１が得られるようになっている。
【００２４】
また、前記第１剥離紙７は、図２に示すように、第１粘着層６に剥離処理面が対面していてラミネートフィルム１０に接着固定されるようになっており、逆に前記第２剥離紙８は、第２粘着層９に剥離処理面が対面していてカード基材５に接着固定されるようになっている。
【００２５】
以上の構成を有するラミネートカード作成用台紙１において、カード作成用台紙部２には、図１および図２に示すように、表カード部１３および裏カード部１４切抜き形成するための第１切込み１５が、表面側から第１剥離紙７直前位置まだ切込まれており、また前記ラミネート用台紙部３の第１切込み１５に符合する位置には、ラミネートフィルム切抜き用の第２切込み１６が、表面側から擬似接着層１１直前位置まで切込まれている。
【００２６】
前記両カード部１３，１４は、図１に示すように、角丸の方形状に形成されているとともに、その一辺が折曲げ線１７を介し外周の一部が連結された状態で、第１切込み１５の位置から切出されるようになっており、一方第２切込み１６は、これら両カード部１３，１４外縁の形状寸法，すなわち第１切込み１５の形状寸法とほぼ同一の形状寸法で切込まれている。
【００２７】
次に、本実施の形態の作用について説明する。
両面ラミネートカードの作成に際しては、まず図１およひ図２に示すラミネートカード作成用台紙１をプリンタに掛け、両カード部１３，１４の表面に所定の印字を施す。この際、ラミネートカード作成用台紙１は、各所同一厚で表裏両面に凸部も全くないので、ラミネートカード作成用台紙１を、カード作成用台紙部２側からプリンタに通しても、また逆にラミネート用台紙部３側からプリンタに通しても、ラミネートカード作成用台紙１がプリンタのドラム等に引掛かって印字不良が発生する等の不具合が全くない。
【００２８】
このようにして、所定の印字作業が終了したならば、図３に示すように、ラミネート用台紙部３側における第２切込み１６内側部分を、第２剥離紙８の位置まで抜き出して第２粘着層９を露出させる。
【００２９】
次いで、カード作成用台紙部２を、折線４位置からラミネート用台紙部３側に折曲げ、剥離台紙１２の上から両カード部１３，１４をラミネート用台紙部３側に押し付ける。そしてその後、折曲げていたカード作成用台紙部２を平坦状に開く。すると、図４に示すように、両カード部１３，１４が第２粘着層９を介しラミネートフィルム１０に接着された状態で、ラミネート用台紙部３側に移載される。
【００３０】
次いで、ラミネート用台紙部３における第２切込み１６の内側部分を、図５に示すように、擬似接着層１１の部分から剥がして外部に取出し、これを、両カード部１３，１４を第１粘着層６を内側にした状態で二つ折りにする。すると、図６および図７に示すように、両面がラミネートフィルム１０で被覆された両面ラミネートカード１８が得られる。
【００３１】
しかして、このようにして得られる両面ラミネートカード１８は、表面側も裏面側もプリンタで印字することができるので、印刷の場合と異なり版代を必要とせず、少量作成の場合であっても、両面ラミネートカード１８の作成単価を大幅に低く抑えることができる。しかも、両カード部１３，１４の情報内容を自由に変更することができるので、作成時間も大幅に短縮することができ、素人でも容易に両面ラミネートカード１８を作成することができる。
【００３２】
なお、前記第１の実施の形態においては、第１切込み１５を、第１剥離紙７の前直位置まで切込む場合について説明したが、第１剥離紙７まで切込まれていても特に問題はない。また、第２切込み１６も、擬似接着層１１まで切込まれていても特に問題はない。
【００３３】
図８ないし図１０は、本発明の第２の実施の形態を示すもので、前記第１の実施の形態における第１切込み１５および第２切込み１６に代え、第１切込み２５ａ，２５ｂおよび第２切込み２６を設け、かつカード作成用台紙部２側に、不要部を除去するための不要部除去用切込み２７を設けるようにしたものである。
【００３４】
すなわち、カード作成用台紙部２には、図８に示すように、第１切込み２５ａ，２５ｂが離間状態で切込まれていて、両カード部１３，１４が離間した状態で切出されるようになっており、一方ラミネート用台紙部３には、第２切込み２６が、前記両カード部１３，１４の離間部を含めた状態で、両カード部１３，１４よりも一廻り大きな形状寸法で切込まれている。
【００３５】
また、前記カード作成用台紙部２には、図８に示すように、印字後の両カード部１３，１４を、カード作成用台紙部２をラミネート用台紙部３側に折曲げてラミネートフィルム１０上に接着する際に、第１切込み２５ａ，２５ｂ外側のカード基材５および第１粘着層６を除去するための不要部除去用切込み２７が、折線４に近接して設けられている。
【００３６】
すなわち、前記第１の実施の形態においては、第１切込み１５と第２切込み１６とがほぼ同一形状寸法であるため、両カード部１３，１４をラミネートフィルム１０上に接着する際に、第１切込み１５外側のカード基材５がラミネートフィルム１０に接着されることはないが、本実施の形態においては、両カード部１３，１４よりも第２切込み２６の方が一廻り大きな形状寸法となっているので、前記第１の実施の形態と同一の手順で両面ラミネートカード１８を作成しようとすると、両カード部１３，１４外側のカード基材５も、ラミネートフィルム１０に接着されてしまうことになる。
【００３７】
そこで本実施の形態においては、不要部除去用切込み２７を設けて、第１切込み２５ａ，２５ｂ外側のカード基材５および第１粘着層６を除去した後、すなわち第１剥離紙７上に両カード部１３，１４のみが配されている状態にした後、両カード部１３，１４をラミネートフィルム１０上に接着するようにしている。
なお、その他の点については、前記第１の実施の形態と同一構成となっており、作用の同一である。
【００３８】
しかして、第２切込み２６を一廻り大きな形状寸法とすることにより、図９および図１０に示すように、両カード部１３，１４の端縁もラミネートフィルム１０で完全に被覆されることになる。このため、両面ラミネートカード１８を水中に落としてしまったような場合であっても、両面ラミネートカード１８の内部に水が浸入するおそれが全くない。
【００３９】
なお、前記第２の実施の形態においては、不要部除去用切込み２７を設けて不要部を除去する場合について説明したが、両カード部１３，１４の外側部分を、ラミネート用台紙部３の不要部分，すなわちラミネート用台紙部３におけるカード基材５，第１粘着層６および第２剥離紙８とともに除去するようにすれば、不要部除去用切込み２７を特に設ける必要はない。
【００４０】
図１１ないし図１３は、本発明の第３の実施の形態を示すもので、前記第１の実施の形態における第１切込み１５および第２切込み１６に代え、第１切込み３５ａ，３５ｂおよび第２切込み３６ａ，３６ｂを設け、かつカード作成用台紙部２側に、不要部を除去するための不要部除去用切込み３７を設けるとともに、両第２切込み３６ａ，３６ｂ間の中央部位置に、両第２切込み３６ａ，３６ｂを符合させるための符合用折曲げ線３８を設けるようにしたものである。
【００４１】
すなわち、カード作成用台紙部２には、図１１に示すように、第１切込み３５ａ，３５ｂが離間状態で切込まれていて、両カード部１３，１４が離間した状態で切出されるようになっており、一方ラミネート用台紙部３にも、第１切込み３５ａ，３５ｂよりも一廻り大きな形状寸法の第２切込み３６ａ，３６ｂが、離間した状態で切込みまれている。
【００４２】
また、前記カード作成用台紙部２には、図１１に示すように、前記第２の実施の形態における不要部除去用切込み２７と同様の不要部除去用切込み３７が設けられており、またラミネート用台紙部３には、両第２切込み３６ａ，３６ｂ間の中央位置に、表面がラミネートされた両カード部１３，１４を二枚合わせにして両面ラミネートカード１８を作成する際に、ラミネート用台紙部３を二つ折りにして両第２切込み３６ａ，３６ｂを符合させるための符合用折曲げ線３８が設けられている。
【００４３】
ここで、符合用折曲げ線３８位置で、ラミネート用台紙部３を二つ折りにする場合、カード作成用台紙部２はない方が作業もし易いので、折線４を例えば断続切れ目で構成し、カード作成用台紙部２をラミネート用台紙部３から切離すことができるようにしておくことが好ましい。
なお、その他の点については、前記両実施の形態と同一構成となっており、作用も同一である。
【００４４】
しかして、第１切込み３５ａ，３５ｂも第２切込み３６ａ，３６ｂも、ともに離間状態で設けられているので、図１２および図１３に示すように、両面ラミネートカード１８が円形状等であっても、両カード部１３，１４もラミネートフィルム１０も、完全に円形に形成することができる。このため、外観体裁のよい両面ラミネートカード１８が得られる。
【００４５】
図１４ないし図１６は、本発明の第４の実施の形態を示すもので、前記第１の実施の形態における構成に加え、ラミネート用台紙部３に裏面側から第２剥離紙８直前位置まで切込まれる第３切込み４０を設け、この第３切込み４０内側のラミネート解除部４１を予め除去した状態で、両カード部１３，１４をラミネートすることにより、例えば裏カード部１４にラミネートされない筆記部４２が形成されるようにしたものである。
なお、その他の点については、前記第１の実施の形態と同一構成となっており、作用も同一である。
【００４６】
しかして、第３切込み４０を設けてラミネート解除部４１を予め除去しておくことにより、図１６に示すように、両面ラミネートカード１８に追記可能な筆記部４２を形成することができる。
【００４７】
図１７（ａ），（ｂ）および図１８（ａ），（ｂ）は、図８ないし図１０に示す本発明の第２の実施の形態に、前記第４の実施の形態を適用して筆記部４２を形成するようにした具体例をそれぞれ示すものである。
【００４８】
すなわち、図１７（ａ），（ｂ）は、会員証の裏面側に、会員の住所，氏名を記入できる筆記部４２を備えた両面ラミネートカード１８を示すものであり、また図１８（ａ），（ｂ）は、ショッピングカードの裏面側に、スタンプを押捺するための筆記部４２を備えた両面ラミネートカード１８を示すものである。
【００４９】
図１９および図２０は、本発明の第５の実施の形態を示すもので、前記第４の実施の形態における第３切込み４０に代え、ラミネート用台紙部３の表面側から切込まれる第３切込み４０Ａを用いるようにしたものである。
【００５０】
すなわち、ラミネート用台紙部３には、図１９および図２０に示すように、その表面側から擬似接着層１１直前位置まで切込まれる第３切込み４０Ａが設けられており、この第３切込み４０Ａで囲まれたラミネート解除部４１Ａは、両カード部１３，１４を折曲げ接着して両面ラミネートカード１８を作成した後、擬似接着層１１および剥離台紙１２とともに、両面ラミネートカード１８から除去されるようになっている。
【００５１】
以下、その具体的な作成方法の一例を説明する。
まず、カード作成用台紙部２における第１切込み１５の外側部分を、表面側から第１粘着層６の位置まで除去するとともに、ラミネート用台紙部３における第２切込み１６の内外部分を、表面側から第２剥離紙８の位置まで除去して第２粘着層９を露出させる。ただしこの際、第３切込み４０Ａ内側のラミネート解除部４１Ａのみは、除去せずに残しておく。図２０は、この状態を示している。
【００５２】
次いで、カード作成用台紙２をラミネート用台紙部３側に折曲げて、両カード部１３，１４の表面側に、第２粘着層９を介しラミネートフィルム１０を接着するとともに、ラミネート用台紙部３を二つ折りにして、両カード部１３，１４を第１粘着層６を介して二つ折り状に接着する。これにより、両面ラミネートカード１８が、ラミネート用台紙部３上で作成されたことになる。
【００５３】
ところでこの状態では、ラミネート用台紙部３は、第２粘着層９を介し二つ折り状態で接着していて開かない状態となっているので、作成された両面ラミネートカード１８を、ラミネート用台紙部３を開いて取出すことはできない。
【００５４】
そこで、剥離台紙１２およびこれと一体の擬似接着層１１を、ラミネートフィルム１０から剥離させる。すると、擬似接着層１１の上に両面ラミネートカード１８およびラミネート解除部４１Ａが付着した状態で、これらが第２切込み１６内から抜き出されることになる。そこで、抜き出された両面ラミネートカード１８を、擬似接着層１１から剥離させるようにすれば、ラミネート解除部４１Ａのみが擬似接着層１１上に残った状態で、両面ラミネートカード１８の完成品が取出されることになる。
【００５５】
ところで、剥離台紙１２および擬似接着層１１の一体品を、ラミネートフィルム１０から剥離させる場合、ラミネート用台紙部３の周縁から剥がすようにしてもよいが、図２０に示すように、ラミネート用台紙部３に、裏面側からラミネートフィルム１０直前位置まで切込まれる剥離用切込み５０を設けておき、この剥離用切込み５０位置から、剥離台紙１２および擬似接着層１１の一体品を剥離させるようにすれば、作業がより容易となるので便宜である。
【００５６】
しかして、第３切込み４０Ａを用いても、前記第４の実施の形態と同様の効果が得られるとともに、ラミネート解除部４１Ａを意識的に除去しなくても、両面ラミネートカード１８の作成過程で、自動的に除去されることになるので、作成作業が容易である。
【００５７】
図２１および図２２は、本発明の第６の実施の形態を示すもので、前記第１の実施の形態における第２切込み１６に代え、裏カード部１４に対応する部分が、裏カード部１４よりも小さな形状寸法を有する第２切込み５６を設けるようにしたものである。
なお、その他の点については、前記第１の実施の形態と同一構成となっており、作用も同一である。
【００５８】
しかして、第２切込み５６が裏カード部１４よりも小さな形状寸法となっているので、両面カード１８を作成した際に、図２２に示すように、裏カード部１４の端縁に、ラミネートされない筆記部５２が形成され、前記第４の実施の形態と同様、この筆記部５２を利用して追記することが可能となる。
【００５９】
【発明の効果】
以上説明したように本発明は、表面側にそれぞれ印字可能な表カード部および裏カード部を切抜き形成するためのカード作成用台紙部と、表カード部および裏カード部の印字面をラミネートするためのラミネート用台紙部とを、折線を介し折曲げ可能に連結して形成されるラミネートカード作成用台紙であって、前記カード作成用台紙部に、少なくとも表面側に印字可能なカード基材と、カード基材の裏面側に配された第１粘着層と、第１粘着層の裏面側を剥離可能に被覆する第１剥離紙とを設けるとともに、前記ラミネート用台紙部に、少なくとも第２剥離紙と、第２剥離紙で表面側が剥離可能に被覆された第２粘着層と、第２粘着層の裏面側に接着されたラミネートフィルムと、ラミネートフィルムの裏面側に擬似接着層を介し剥離可能に擬似接着された剥離台紙とを設け、前記カード作成用台紙部には、表面側から少なくとも第１剥離紙直前位置まで、前記両カード部切抜き用の第１切込みを切込むとともに、前記ラミネート用台紙部には、前記第１切込みに符合する位置に、表面側から少なくとも擬似接着層直前位置まで、ラミネートフィルム切抜き用の第２切込みを切込むようにしているので、カード本体の表裏両面にプリンタを用いて印字することができ、少量作成の場合であっても、両面ラミネートカードの作成単価を大幅に低く抑えることができるとともに、カード本体の表裏両面の情報内容を自由に変更することができる。
【００６０】
本発明はまた、カード作成用台紙部およびラミネート用台紙部を、カード基材と、カード基材の裏面側に配された第１粘着層と、第１粘着層裏面のカード作成用台紙部に対応する部位に配された第１剥離紙と、第１粘着層裏面のラミネート用台紙部に対応する部位に接着された第２剥離紙と、前記両剥離紙の裏面側に配されて第１剥離紙に接着される第２粘着層と、第２粘着層の裏面側に配されたラミネートフィルムと、ラミネートフィルムの裏面側に擬似接着層を介し配された剥離台紙とで構成するようにしているので、カード作成用台紙部側の台紙厚と、ラミネート用台紙部側の台紙厚とが完全に同一厚となるとともに、表裏いずれの面にも凸部がないラミネートカード作成用台紙が得られ、カード作成用台紙部側からプリンタに通しても、また逆にラミネート用台紙部側からプリンタに通しても、台紙がプリンタのドラム等に引掛かって印字不良が発生する等の不具合が全くない。
【００６１】
本発明はまた、両カード部を、折曲げ線を介し外周の一部が連結された状態で切出すとともに、第２切込みを、両カード部外縁の形状寸法とほぼ同一の形状寸法で切込むようにしているので、カード本体の表裏両面を、カード本体とほぼ同一形状のラミネートフィルムで被覆することができる。
【００６２】
本発明はまた、両カード部を、離間した状態で切出すとともに、第２切込みを、両カード部間の離間部を含めた状態で、両カード部よりも一廻り大きな形状寸法で切込むようにしているので、カード本体を、カード本体よりも一廻り大きなラミネートフィルムで被覆することができ、カード本体を例えば水中に落としてしまったような場合であっても、カード本体の周縁部からカード本体内に水が浸入するおそれが全くない。
【００６３】
本発明はまた、両カード部を、離間した状態で切出すとともに、第２切込みを、各カード部に符合する部位に離間した状態で切込むようにしているので、カード本体が例えば円形等、方形あるいはこれに近い形状でなくても、対応することができる。
【００６４】
本発明はまた、ラミネート用台紙部に、両第２切込み間の離間部中央に、二つ折りにより両第２切込みを符合させるための符合用折曲げ線を設けるようにしているので、両カード部および第２切込みが、いずれも離間した状態で切込まれている場合であっても、素人が失敗することなく両面ラミネートカードを簡単に作成することができる。
【００６５】
本発明はまた、両カード部を、折曲げ線を介し外周の一部が連結された状態で切出すとともに、第２切込みを、少なくとも一方のカード部に符合する部分を、当該カード部よりも小さな形状寸法で切込むようにしているので、カード本体の例えば裏面側の端縁に、ラミネートされない部分を残してカードを作成することができ、ラミネートされない部分を、例えばスタンプ押印欄として確保することができる。
【００６６】
本発明はまた、ラミネート用台紙部に、裏面側から少なくとも第２剥離紙直前位置まで切込まれ少なくとも一方のカード部にラミネートされない部分を残すための第３切込みを設けるようにしているので、カード本体の中央部に、ラミネートされない部分を残してカードを作成することができ、損傷し易いカード本体の周縁部分は、両面ラミネートで補強しつつ、追記可能な部分を確保することができる。
【００６７】
本発明はさらに、ラミネート用台紙部に、表面側から少なくとも擬似接着層直前置まで切込まれ少なくとも一方のカード部にラミネートされない部分を残すための第３切込みを設けるようにしているので、第１，第２および第３の各切込みが、すべて表面側からの切込みとなり、ラミネートカード作成用台紙の加工が容易となる。
【図面の簡単な説明】
【図１】本発明の第１の実施の形態に係るラミネートカード作成用台紙を示す説明図である。
【図２】図１のＩＩ−ＩＩ線断面図である。
【図３】ラミネート用台紙部における第２切込みの内側部分を抜き出した状態を示す説明図である。
【図４】カード作成用台紙部をラミネート用台紙部側に折返して、両カード部をラミネートフィルム上に接着させた状態を示す説明図である。
【図５】両カード部をラミネートフィルムとともに第２切込み内から抜き出した状態を示す説明図である。
【図６】第２切込みから抜き出した両カード部を接着して構成される両面ラミネートカードを示す説明図である。
【図７】図６に示す両面ラミネートカードの外観図である。
【図８】本発明の第２の実施の形態を示す説明図である。
【図９】図８のラミネートカード作成用台紙を用いて作成される両面ラミネートカードを示す断面構成図である。
【図１０】図９に示す両面ラミネートカードの外観図である。
【図１１】本発明の第３の実施の形態を示す説明図である。
【図１２】図１１のラミネートカード作成用台紙を用いて作成される両面ラミネートカードを示す断面構成図である。
【図１３】図１２に示す両面ラミネートカードの外観図である。
【図１４】本発明の第４の実施の形態を示す説明図である。
【図１５】図１４に示すラミネートカード作成用台紙の断面構成図である。
【図１６】図１４に示すラミネートカード作成用台紙を用いて作成される両面ラミネートカードの外観図である。
【図１７】（ａ）は本発明の第２の実施の形態と第４の実施の形態とを組合わせて作成される両面ラミネートカードの表面側外観図，（ｂ）は（ａ）と同様の裏面側外観図である。
【図１８】（ａ）は図１７（ａ）と同様の両面ラミネートカードの他の例を示す表面側外観図、（ｂ）は（ａ）と同様の裏面側外観図である。
【図１９】本発明の第５の実施の形態を示す説明図である。
【図２０】図１９に示すラミネートカード作成用台紙を用いて作成される両面ラミネートカードの作成方法を示す断面構成図である。
【図２１】本発明の第６の実施の形態を示す説明図である。
【図２２】図２１に示すラミネートカード作成用台紙を用いて作成される両面ラミネートカードの外観図である。
【符号の説明】
１  ラミネートカード作成用台紙
２  カード作成用台紙部
３  ラミネート用台紙部
４  折線
５  カード基材
６  第１粘着層
７  第１剥離紙
８  第２剥離紙
９  第２粘着層
１０  ラミネートフィルム
１１  擬似接着層
１２  剥離台紙
１３  表カード部
１４  裏カード部
１５，２５ａ，２５ｂ，３５ａ，３５ｂ  第１切込み
１６，２６，３６ａ，３６ｂ，５６  第２切込み
１７  折曲げ線
１８  両面ラミネートカード
２７，３７  不要部除去用切込み
３８  符合用折曲げ線
４０，４０Ａ  第３切込み
４１，４１Ａ  ラミネート解除部
４２，５２  筆記部
５０  剥離用切込み
【図１】
2005014267.tif 000003
【図２】
2005014267.tif 000004
【図３】
2005014267.tif 000005
【図４】
2005014267.tif 000006
【図５】
2005014267.tif 000007
【図６】
2005014267.tif 000008
【図７】
2005014267.tif 000009
【図８】
2005014267.tif 000010
【図９】
2005014267.tif 000011
【図１０】
2005014267.tif 000012
【図１１】
2005014267.tif 000013
【図１２】
2005014267.tif 000014
【図１３】
2005014267.tif 000015
【図１４】
2005014267.tif 000016
【図１５】
2005014267.tif 000017
【図１６】
2005014267.tif 000018
【図１７】
2005014267.tif 000019
【図１８】
2005014267.tif 000020
【図１９】
2005014267.tif 000021
【図２０】
2005014267.tif 000022
【図２１】
2005014267.tif 000023
【図２２】
2005014267.tif 000024